(57)【要約】【課題】簡単かつ安価な回答端末を用いてアンケート等の回答を収集することが出来るワイヤレス回答収集システムを提供する。【解決手段】回答端末（１０）は、無線通信を行うための双方向アクティブ型無線ＩＣタグと操作スイッチとＬＥＤとマイコンを具備し、双方向アクティブ型無線ＩＣタグで回答要求を無線受信すると操作スイッチの操作状態を双方向アクティブ型無線ＩＣタグから無線送信すると共に双方向アクティブ型無線ＩＣタグで受領通知を無線受信するとＬＥＤで報知する。集計処理装置（４０）は、回答端末（１０）に各々に対して送受信機（２１，２２）から回答要求を無線送信すると共に操作スイッチ（２）の操作状態を送受信機（２１，２２）で無線受信すると送受信機（２１，２２）から受領通知を無線送信する。【効果】回答端末（１０）の構成が簡単かつ安価になる。光で回答者に回答の受領を報知するため、回答者に回答した手応えを与えることが出来る。【選択図】図１
2007150690.tif 000002
【特許請求の範囲】
【請求項１】
複数の回答者がそれぞれ持つ回答端末（１０）と、前記回答端末（１０）と無線通信する送受信機（２１，２２）と、前記送受信機（２１，２２）を介して前記回答端末（１０）と通信し回答を収集する処理装置（４０）とを具備してなるワイヤレス回答収集システムであって、
前記回答端末（１０）は、無線通信を行うための双方向アクティブ型無線ＩＣタグ（１）と、回答者が回答のために操作する操作スイッチ（２）と、音または光で回答者に報知する報知手段（３，４）と、前記双方向アクティブ型無線ＩＣタグ（１）で回答要求を無線受信すると前記操作スイッチ（２）の操作状態を前記双方向アクティブ型無線ＩＣタグ（１）から無線送信すると共に前記双方向アクティブ型無線ＩＣタグ（１）で受領通知を無線受信すると前記報知手段（３，４）で報知する制御を行う制御手段（５）とを具備し、
前記処理装置（４０）は、前記回答端末（１０）に各々に対して前記送受信機（２１，２２）から前記回答要求を無線送信すると共に前記操作スイッチ（２）の操作状態を前記送受信機（２１，２２）で無線受信すると前記送受信機（２１，２２）から受領通知を無線送信することを特徴とするワイヤレス回答収集システム（１００）。
【請求項２】
請求項１に記載のワイヤレス回答収集システム（１００）において、前記処理装置（４０）は、複数の前記送受信機（２１，２２）で時間をずらせて同一の前記回答端末（１０）と無線通信することを特徴とするワイヤレス回答収集システム（１００）。
【発明の詳細な説明】
【技術分野】
【０００１】
本発明は、ワイヤレス回答収集システムに関し、さらに詳しくは、簡単かつ安価な回答端末を用いてアンケート等の回答を収集することが出来るワイヤレス回答収集システムに関する。
【背景技術】
【０００２】
従来、回答端末としてＰＨＳを用いたワイヤレス回答収集システム（例えば、特許文献１参照）や、回答端末としてＭＣＡ無線機を用いたワイヤレス回答収集システム（例えば、特許文献２参照）が知られている
【特許文献１】特開平９−２７０８６５号公報
【特許文献２】特開平１１−３９３５１号公報
【発明の開示】
【発明が解決しようとする課題】
【０００３】
上記従来のワイヤレス回答収集システムは、回答端末としてＰＨＳやＭＣＡ無線機を用いており、回答端末が複雑かつ高価になる問題点があった。
そこで、本発明の目的は、簡単かつ安価な回答端末を用いてアンケート等の回答を収集することが出来るワイヤレス回答収集システムを提供することにある。
【課題を解決するための手段】
【０００４】
第１の観点では、本発明は、複数の回答者がそれぞれ持つ回答端末（１０）と、前記回答端末（１０）と無線通信する送受信機（２１，２２）と、前記送受信機（２１，２２）を介して前記回答端末（１０）と通信し回答を収集する処理装置（４０）とを具備してなるワイヤレス回答収集システムであって、前記回答端末（１０）は、無線通信を行うための双方向アクティブ型無線ＩＣタグ（１）と、回答者が回答のために操作する操作スイッチ（２）と、光または音で回答者に報知する報知手段（３，４）と、前記双方向アクティブ型無線ＩＣタグ（１）で回答要求を無線受信すると前記操作スイッチ（２）の操作状態を前記双方向アクティブ型無線ＩＣタグ（１）から無線送信すると共に前記双方向アクティブ型無線ＩＣタグ（１）で受領通知を無線受信すると前記報知手段（３，４）で報知する制御を行う制御手段（５）とを具備し、前記処理装置（４０）は、前記回答端末（１０）に各々に対して前記送受信機（２１，２２）から前記回答要求を無線送信すると共に前記操作スイッチ（２）の操作状態を前記送受信機（２１，２２）で無線受信すると前記送受信機（２１，２２）から受領通知を無線送信することを特徴とするワイヤレス回答収集システム（１００）を提供する。
上記第１の観点によるワイヤレス回答収集システムでは、回答端末（１０）が双方向アクティブ型無線ＩＣタグ（１）を備えて無線通信を行うため、構成が簡単かつ安価になる。さらに、回答端末（１０）に報知手段（３，４）を備えて光または音で回答者に回答の受領を報知するため、回答者に回答した手応えを与えることが出来る。
【０００５】
第２の観点では、本発明は、上記第１の観点によるワイヤレス回答収集システム（１００）において、前記処理装置（４０）は、複数の前記送受信機（２１，２２）で時間をずらせて同一の前記回答端末（１０）と無線通信することを特徴とするワイヤレス回答収集システム（１００）を提供する。
上記第２の観点によるワイヤレス回答収集システムでは、複数の送受信機（２１，２２）で同一の回答端末（１０）と無線通信するため、信頼性を向上できる。また、時間をずらせて通信するため、フェージングや混信を回避することが出来る。
【発明の効果】
【０００６】
本発明のワイヤレス回答収集システムによれば、回答端末の構成が簡単かつ安価で済む。さらに、回答が受け付けられたことを回答者が手元で確認でき、回答者に手応えを与えることが出来る。
【発明を実施するための最良の形態】
【０００７】
以下、図に示す実施の形態により本発明をさらに詳細に説明する。なお、これにより本発明が限定されるものではない。
【実施例１】
【０００８】
図１は、実施例１にかかるワイヤレス回答収集システム１００を示す構成説明図である。
このワイヤレス回答収集システム１００は、複数の回答者がそれぞれ持つ回答端末１０と、回答端末１０と無線通信する送受信機２１，２２と、回答者に対して質問やメッセージを表示するための表示装置３０と、送受信機２１，２２および表示装置３０と通信線で接続されると共に送受信機２１，２２を介して回答端末１０と通信し且つ表示装置３０の表示内容を変更して質問と回答の収集を進める集計処理装置４０とを具備している。
【０００９】
図２は、回答端末１０の外観図である。
回答端末１０は、回答者が回答のために操作する３個の操作スイッチ２と、各操作スイッチ２に対応する緑，橙，赤のＬＥＤ３と、ブザー４とを有する。ケース６は、片手で持てるサイズである。
【００１０】
図３は、回答端末１０の構成図である。
回答端末１０は、無線通信を行うための双方向アクティブ型無線ＩＣタグ１と、操作スイッチ２と、ＬＥＤ３と、ブザー４と、双方向アクティブ型無線ＩＣタグ１で回答要求を無線受信すると操作スイッチ２の操作状態を双方向アクティブ型無線ＩＣタグ１から無線送信すると共に双方向アクティブ型無線ＩＣタグ１で受領通知を無線受信するとＬＥＤ３で報知する制御を行うマイコン５とを具備している。
【００１１】
図４は、回答端末１０の動作を示すフロー図である。
ステップＲ１では、すべてのＬＥＤ３を消灯する。
ステップＲ２では、操作結果の記憶をクリアする。
ステップＲ３では、自ＩＤと一致する「操作許可」コマンドを無線受信するまで待機し、無線受信したらステップＲ４へ進む。
【００１２】
ステップＲ４では、すべてのＬＥＤ３を点灯し、１秒間、ブザー４を鳴らす。
ステップＲ５では、操作スイッチ２が操作されたならステップＲ６へ進み、操作スイッチ２が操作されてないならステップＲ８へ進む。
ステップＲ６では、操作された操作スイッチ２に対応するＬＥＤ３を高速点滅する。
ステップＲ７では、操作結果を記憶する。
【００１３】
ステップＲ８では、自ＩＤと一致する「回答要求」コマンドを無線受信してないならステップＲ９へ進み、無線受信したらステップＲ１０へ進む。
ステップＲ９では、自ＩＤと一致する「初期化」コマンドを無線受信してないならステップＲ４に戻り、無線受信したらステップＲ１に戻る。
【００１４】
ステップＲ１０では、記憶していた操作結果を無線送信する。
ステップＲ１１では、操作されてない操作スイッチ２に対応するＬＥＤ３を低速点滅する。
【００１５】
ステップＲ１２では、自ＩＤと一致する「受領通知」を無線受信してないならステップＲ１３へ進み、無線受信したらステップＲ１４へ進む。
ステップＲ１３では、自ＩＤと一致する「初期化」コマンドを無線受信してないならステップＲ１２に戻り、無線受信したらステップＲ１に戻る。
【００１６】
ステップＲ１４では、１秒間、操作された操作スイッチ２に対応するＬＥＤ３を低速点滅し、操作されてない操作スイッチ２に対応するＬＥＤ３を高速点滅する。そして、ステップＲ１に戻る。
【００１７】
図５は、集計処理装置４０の質問および回答収集の動作を示すフロー図である。
ステップＰ１では、表示装置３０に質問を表示する。
ステップＰ２では、予め登録されている多数の回答端末１０のＩＤの中から一つを選び、そのＩＤの回答端末１０へ第１送受信機２１から「操作許可」コマンドを送信する。一定時間（例えば２００ｍｓ）経過後、同一の回答端末１０へ第２送受信機２２から「操作許可」コマンドを送信する。これを、予め登録されている多数の回答端末１０のＩＤの全てについて繰り返す。
【００１８】
ステップＰ３では、予め登録されている多数の回答端末１０のＩＤの中から一つを選び、そのＩＤの回答端末１０へ第１送受信機２１から「回答要求」コマンドを送信する。
【００１９】
ステップＰ４では、選んだＩＤの回答端末１０から操作結果を受信してないならステップＰ５へ進み、受信したならステップＰ１０へ進む。
ステップＰ５では、所定の待機時間（例えば２００ｍｓ）を経過するまではステップＰ４に戻り、経過したらステップＰ６へ進む。
【００２０】
ステップＰ６では、選んだＩＤの回答端末１０へ第２送受信機２２から「回答要求」コマンドを送信する。
【００２１】
ステップＰ７では、選んだＩＤの回答端末１０から操作結果を受信してないならステップＰ８へ進み、受信したならステップＰ１０へ進む。
ステップＰ８では、所定の待機時間（例えば２００ｍｓ）を経過するまではステップＰ７に戻り、経過したらステップＰ９へ進む。
【００２２】
ステップＰ９では、選んだＩＤの回答端末１０の障害を記録する。そして、ステップＰ１２へ進む。
【００２３】
ステップＰ１０では、選んだＩＤの操作結果を記録する。
ステップＰ１１では、選んだＩＤの回答端末１０へ第１送受信機２１から「受領通知」を送信する。一定時間（例えば２００ｍｓ）経過後、同一の回答端末１０へ第２送受信機２２から「受領通知」を送信する。
【００２４】
ステップＰ１２では、選んだＩＤの回答端末１０へ第１送受信機２１から「初期化」コマンドを送信する。一定時間（例えば２００ｍｓ）経過後、同一の回答端末１０へ第２送受信機２２から「初期化」コマンドを送信する。
【００２５】
ステップＰ１３では、予め登録されている多数の回答端末１０のＩＤの全てについてステップＰ３〜Ｐ１２を繰り返す。
【００２６】
実施例１のワイヤレス回答収集システム１００によれば、次の効果が得られる。
（１）回答端末１０が双方向アクティブ型無線ＩＣタグ１を備えて無線通信を行うため、構成が簡単かつ安価になる。
（２）回答端末１０でＬＥＤ３を点灯し、ブザー４を鳴らすことにより、回答者に回答を促すことが出来る。
（３）操作者が操作した操作スイッチ２に対応するＬＥＤ３を高速点滅することにより、自分の回答を視認できる。また、他のＬＥＤ３の点灯を維持することにより、押し直しが可能であることを回答者に示唆することが出来る。
（４）操作結果を無線送信すると、回答端末１０で操作されてない操作スイッチ２に対応するＬＥＤ３を低速点滅することにより、自分の回答が送信されたことを回答者に判らせることが出来る。なお、どの操作スイッチ２も操作しなければ、全てのＬＥＤ３が低速点滅になる。
（５）送信した操作結果が受け付けられたときに、回答端末１０で操作された操作スイッチ２に対応するＬＥＤ３を低速点滅し且つそれ以外のＬＥＤ３を高速点滅することにより、自分の回答が受け付けられた手応えを回答者に与えることが出来る。
（６）複数の送受信機２１，２２で同一の回答端末１０と無線通信するため、信頼性を向上できる。また、時間をずらせて通信するため、フェージングや混信を回避することが出来る。
【産業上の利用可能性】
【００２７】
本発明のワイヤレス回答収集システムは、テレビスタジオやイベント会場などでアンケートやクイズを行うのに利用できる。
【図面の簡単な説明】
【００２８】
【図１】実施例１に係るワイヤレス回答収集システムを示す構成説明図である。
【図２】実施例１に係る回答端末を示す外観図である。
【図３】実施例１に係る回答端末を示す構成説明図である。
【図４】実施例１に係る回答端末の動作を示すフロー図である。
【図５】実施例１に係る集計処理装置の質問および回答収集の動作を示すフロー図である。
【符号の説明】
【００２９】
１                    双方向アクティブ型無線タグ
２                    操作スイッチ
３                    ＬＥＤ
４                    ブザー
５                    マイコン
１０                  回答端末
２１，２２            送受信機
３０                  表示装置
４０                  集計処理装置
１００                ワイヤレス回答収集システム
【図１】
2007150690.tif 000003
【図２】
2007150690.tif 000004
【図３】
2007150690.tif 000005
【図４】
2007150690.tif 000006
【図５】
2007150690.tif 000007